(57)【特許請求の範囲】
【請求項１】
湿潤状態のシートを、折り重ねて内部に収容し、前記シートを１枚ごとに取り出し可能としたピロー包装形態において、包装フィルムの側端部相互を合掌状態で筒状に製袋し、前記合掌させたフラップ部の先端部をシールしてセンターシール部を形成するとともに、
前記フラップ部の前記センターシール部より基部側の未シール部に前記シートを取り出すために開封する雌雄ファスナーを形成し、前記フラップ部の前記センターシール部と雌雄ファスナーとの間の未シール部に切り取り線部を形成し、長手方向両端をそれぞれシールしてトップシール部としたガゼット包装体であって、
前記フラップ部の基端を、前記包装体の一方のまち部と本体面との稜部に実質的に一致させて形成し、かつ前記フラップ部を反転自在に包装体の中心側に向けて配置し、
前記フラップ部を前記一方のまち部側に反転したとき、前記雌雄ファスナーが前記一方のまち部を越えて側外方に位置し、まち部に対向する側外方に開口を形成する
ことを特徴とする包装体。
【請求項２】
包装体のフィルム厚が５０μｍ以上である請求項１記載の包装体。
【請求項３】
雌雄ファスナーに着色が施されている請求項１または２記載の包装体。
【発明の詳細な説明】
【技術分野】
【０００１】
本発明は、包装体に関する。
【背景技術】
【０００２】
ウエットティッシュー等のシート厚が比較的厚い、湿潤状態のシートを収納する包装体としては、プラスチック成形の容器、若しくはフィルム状の蓋が包装体の上面に形成されたピロー包装体が用いられている。
【０００３】
ここで、フィルム状の蓋が包装体の上面に形成されたピロー包装体は、プラスチック成形の容器に比べて、製造コストを抑えることができるメリット等があるものの、フィルム状の蓋の外周と包装体の上面に形成された開口部の縁との間が、波打ったりシワが寄ることが多く、商品価値を低下させる。また、フィルム状の蓋と包装体の上面とは、粘着剤により着脱自在に取付けられているため、繰り返しの開封や再封を可能としているが、この繰り返しの使用により粘着剤の粘着力が低下し、密封状態が長期にわたって保たれない虞がある。さらに、フィルム状の蓋の外周と包装体の上面に形成された開口部の縁との間が、波打ったりシワが寄ることにより、フィルム状の蓋と包装体の上面との間に隙間が生じ、密封状態が保たれず、ウエットティッシュー等が乾燥してしまう虞もある。
【０００４】
そこで、これらの問題点を解決するために、従来例としては、素材がポリエチレン等のピロータイプの包装体で、かつフィルム状の蓋に変えて雌雄ファスナーにより開封と再封を可能とした包装体が紹介されている（例えば、特許文献１参照）。
【０００５】
しかしながら、上記従来例は、包装体のフラップ部分が短いため、雌雄ファスナーより外部側に形成された縁、すなわち雌雄ファスナーを開閉するために摘むリム部が、まち部の面よりも奥まっており、このリム部を指で摘みにくいので開閉し難い。
【０００６】
また、雌雄ファスナーを開封したときに、フラップ部分が短いため、大きく開放することができず、内部収納体を取り出しにくくなっている。特に、内部収納体が、シート厚が厚く、嵩張るウエットティッシューやトイレット用のウエットクリーナー等である場合には、大きく開放できないため、取り出し難いという問題点がある。
【特許文献１】特開平１０−１５７７６８号（４頁、図１〜図３）
【発明の開示】
【発明が解決しようとする課題】
【０００７】
そこで、本発明の主たる課題は、密封状態を長期にわたって保持し、内部に収納されたシートの湿潤状態を維持するとともに、また、当該シートを取り出しやすい、特に、厚く、嵩張るシートを取り出し易い包装体を提供することにある。
【課題を解決するための手段】
【０００８】
上記課題を解決した本発明は、次のとおりである。
＜請求項１記載の発明＞
湿潤状態のシートを、折り重ねて内部に収容し、前記シートを１枚ごとに取り出し可能としたピロー包装形態において、包装フィルムの側端部相互を合掌状態で筒状に製袋し、前記合掌させたフラップ部の先端部をシールしてセンターシール部を形成するとともに、
前記フラップ部の前記センターシール部より基部側の未シール部に前記シートを取り出すために開封する雌雄ファスナーを形成し、前記フラップ部の前記センターシール部と雌雄ファスナーとの間の未シール部に切り取り線部を形成し、長手方向両端をそれぞれシールしてトップシール部としたガゼット包装体であって、
前記フラップ部の基端を、前記包装体の一方のまち部と本体面との稜部に実質的に一致させて形成し、かつ前記フラップ部を反転自在に包装体の中心側に向けて配置し、
前記フラップ部を前記一方のまち部側に反転したとき、前記雌雄ファスナーが前記一方のまち部を越えて側外方に位置し、まち部に対向する側外方に開口を形成する
ことを特徴とする包装体。
【０００９】
（作用効果）
請求項１に係る発明では、前記フラップ部の基端を、前記包装体の一方のまち部と本体面との稜部に実質的に一致させて形成し、かつ前記フラップ部を反転自在に包装体の中心側に向けて配置し、前記フラップ部を前記一方のまち部側に反転したとき、前記雌雄ファスナーが前記一方のまち部を越えて側外方に位置する位置関係にある構成とした。
したがって、前記フラップ部を前記一方のまち部側に反転したとき、当然に切り取り線部が一方のまち部の面を越えて位置する位置関係にあるために、切り取り線部において、まち部の面に指が当たることなく切り取りが容易である。
【００１０】
しかも、雌雄ファスナーが前記一方のまち部を越えて側外方に位置する位置関係にある。したがって、雌雄ファスナーの開閉に際しても、まち部の面に指が当たることなく雌雄ファスナーの開閉が容易である。
【００１１】
さらに、特徴的には、本出願人の特願２００３−７８７９５号（以下「先願発明」という。）における形態と比較して、雌雄ファスナーを開口したとき、開口形状（雌雄ファスナーの離間による開口形状）が歪まないので、シートを取り出す際にシートが開口縁に当たり取出し難い問題が解消される。しかも、開口した段階では、その開口がシート束の側外方にあるので、シート束の最上シートを、ほぼ積層状態の形状そのままの形状で横方向に開口を通して取出すことができ、シートの取出しの際にシート形状の崩れを防止できる。
【００１２】
取出しの点に関しては、図面とともに説明するのがより明瞭になるので、後の実施の形態の説明の欄において詳説する。
【００１３】
＜請求項２記載の発明＞
包装体のフィルム厚が５０μｍ以上である請求項１記載の包装体。
【００１４】
（作用効果）
包装体のフィルム厚を５０μｍ以上と厚くしたため、フラップ部にある程度の剛性をもたせ、開口させた状態を維持しやすく、シートの取り出しが容易となっている。また、フィルムが厚いために、包装体内部に収納されたシートからの蒸散を抑制できる。
【００１５】
＜請求項３記載の発明＞
雌雄ファスナーに着色が施されている請求項１または２記載の包装体。
【００１６】
（作用効果）
雌雄ファスナーに着色が施されているため、ファスナー位置の判断が容易であり、開封の目印とすることが可能である。また、ファスナーの開封状態と密封状態とで、ファスナーの色の濃淡等に差が出るので、ファスナーの開閉の際に、色の濃淡等により、ファスナーの咬合が不完全か否かの判別が容易である。このため、ファスナーの咬合を完全に行うことができ、密封状態の維持が可能となる。
【発明の効果】
【００１７】
本発明によれば、後の実施の形態の説明の欄において詳説するように、開口形状が安定し、かつ開口状態が安定し、しかも維持シートの取出しが容易である。
【発明を実施するための最良の形態】
【００１８】
以下本発明を、実施するための最良の形態を示しながらさらに説明する。
図１は、本発明に係る包装体の一実施形態を示している。包装体１は、一枚の包装フィルム（内包シートの視認のために透明または半透明の包装フィルムとすることができる）の側端部相互を合掌状態で筒状に製袋し、この合掌させたフラップ部分２の先端を、熱シール等によりシールし、センターシール部３を形成し、さらに、筒状体の長手方向端部を、熱シール等によりシールしてトップシール部４を形成した、ピロータイプのガゼット包装体である。
【００１９】
包装体１に内装するシート５は、ウエットティッシュー、除菌クリーナー、ウエットクリーナー等の湿潤状態のシートであり、複数枚をそれぞれ折り畳み状態で積層させている。これらシート５は、積層させているので、ある程度の高さ（例えば、４．５ｃｍ）を有するため、ガゼット体としてまち部６を包装体１の側面に形成している。
【００２０】
ここで、図１〜図３に示すように、フラップ部分２には、センターシール部３よりもフラップ部分２の基部側に雌雄ファスナー１０が形成されている。この雌雄ファスナー１０により、開封と再封を可能とし粘着剤を使用しないため、密封状態が長期にわたって保たれる。
【００２１】
また、この雌雄ファスナー１０とセンターシール部３との間には、切断用ミシン目等の切り取り線部１１が形成されている。そして、図２に示す状態から図３に示すように、フラップ部２を一方のまち部６（図３の右方）側に反転したとき、まち部６の面よりも側外方に張り出しているので、切り取り線部１１に沿って、手で破る、あるいはハサミでセンターシール部３を容易に切除することができ、その切除に伴って、切り取り線部１１と雌雄ファスナー１０との間に、リム部１２が形成される。
【００２２】
リム部１２は、雌雄ファスナー１０を開くために指で摘む部分である。このリム部１２についても、図３に示すように、フラップ部２を一方のまち部６（図３の右方）側に反転したとき、まち部６の面よりも側外方に張り出しているので、指で摘み易くなっており、しかも、雌雄ファスナー１０もまち部６の面よりも側外方に張り出しているので、指で摘み易くなっており、雌雄ファスナー１０を開閉しやすくなっている。
【００２３】
また、フラップ部２は反転自在に形成されているので、シート５の取出し後において、保管のために雌雄ファスナー１０が閉塞した後、当該フラップ部２を包装体１の中心側に向けて反転させ、元の包装体１の本体面上に重ねた状態にしておけるため、保管時にリム部１２や雌雄ファスナー１０が邪魔になることはない。
【００２４】
ここで、包装フィルムとしては、フィルム厚が５０μｍ以下では、フラップ部２の反転及び復元の位置決め性が十分でなく、また、リム部１２の張りが弱くなる虞があるため、フィルム厚が５０μｍ以上とすることにより、フラップ部２に張りをもたせ、当該フラップ部２の反転自在性を確保し、フラップ部２を包装体１の中心側に向けて反転させ、包装体１の上面に重ねた状態を保持させることができる。また、このフラップ部をまち部６側に反転させた状態を維持しやすく、シート５の取り出しが容易になる。さらに、フィルムが厚いために、包装体１内部に収納されたシート５からの蒸散を抑制できる。
【００２５】
また、包装フィルムの材質として好適なのは、ポリエチレンテレフタレート、ポリプロピレン、ポリエチレン等である。蒸着フィルムも使用することができ、アルミを蒸着させたポリエチレンテレフタレートを採用し、上記材質の包装フィルムを上・下層として、これらの中間に蒸着フィルムを貼り付けた三層構造とすることが好ましい。包装体１の形成フィルムを蒸着フィルムとすると、包装体１内部に収納されたシート５からの蒸散を抑えることが可能となり、シート５の乾燥を防いで、密封状態を長期にわたって維持することができる。
【００２６】
雌雄ファスナー１０は、図４に示すように、雄咬合子１０ａと雌雄咬合子１０ｂを備えている。雄咬合子１０ａと雌咬合子１０ｂの形状の一例としては、雄咬合子１０ａは断面略Ｔ字型であり、雌咬合子１０ｂは断面略Ｃの字型で、雄咬合子１０ａの先端と雌咬合子１０ｂ先端とが、咬合しあうことで、雌雄ファスナー１０が閉じられるようになっている。そのため、隙間が生じることなく密封状態が保たれ、湿潤状態のシートが乾燥してしまう虞がない。また、必要により、幅方向に間隔をおいて雌雄ファスナー１０の二重構造を採用する（図示せず）と、特許文献１に示された従来例に比べて、密封状態を確実にできる。
【００２７】
また、これら雌雄ファスナー１０に包装体１の色とは異なる着色をしておけば、好ましくは目立つ色を着色しておけば、開封の目印とすることが可能である。また、雌雄ファスナー１０の開封状態と密封状態とで、ファスナーの色の濃淡等に差が出るので、雌雄ファスナー１０の開閉の際に、色の濃淡等により、ファスナーの咬合が不完全か否かの判別が容易である。このため、ファスナーの咬合を完全に行うことができ、密封状態の維持が可能となる。
【００２８】
これら雌雄ファスナー１０を備えたフラップ部分２は、包装体１の上面に形成されている。したがって、この雌雄ファスナー１０の開封の際に、ウエットティッシュー、ウエットクリーナー等の湿潤状態のシートからによる液体が、外部に漏出する虞がない。
【００２９】
かかる包装体においては、次のように開封、シートの取出し、及び保管を行うことができる。
【００３０】
すなわち、製品状態では、図１及び図２に示すように、フラップ部２が本体面上に重ねられている。使用に際し、フラップ部２を本体面上から起こし、図３に示すように、一方のまち部６（図３の右方）側に反転させる。この状態では、フラップ部２がまち部６の面よりも側外方に張り出しているので、切り取り線部１１に沿って、手で破るか、ハサミでセンターシール部３を容易に切除することができ、その切除に伴って、切り取り線部１１と雌雄ファスナー１０との間に、リム部１２が形成される。
【００３１】
リム部１２は、雌雄ファスナー１０を開くために指で摘む部分であるが、このリム部１２についても、図３に示すように、まち部６の面よりも側外方に張り出しているので、指で摘み易く、容易に開封作業を行い得る。しかも、雌雄ファスナー１０もまち部６の面よりも側外方に張り出しているので、指で摘み易く、リム部１２の開封後にさらに指を奥に入れて、雌雄ファスナー１０を容易に開閉できる。
【００３２】
図５のように開封した後に、シート５束の最上シート５の側部を差し入れた指先で摘みながら、図６のように側方に引き出す。
【００３３】
シート５の取出しが終了したならば、雌雄ファスナー１０を閉鎖し、そのままあるいはフラップ部２を逆に反転して元のように本体面上に重ねて保管する。
【００３４】
ここで、先に触れた先願発明の形態は、図７に示すように（ただし図７は切り取り線部１１によってセンターシール部３を切除した後で開封状態を示している）、フラップ部２の基端を、本発明のように、一方のまち部と本体面との稜部に実質的に一致させて形成するのではなく、本体面上において一方のまち部６に近接して形成したものである。また、雌雄ファスナー１０、１０を幅方向に離間して二重のファスナーとしたものである。
【００３５】
かかる形態では、雌雄ファスナー１０、１０を二重のファスナーとしたことが問題ではなく、本質的にフラップ部２の基端を、本体面上において一方のまち部６と離間距離Ｌ（たとえばほぼ１ｃｍ程度）をもたせたことが問題として残ることが知見された。すなわち、図７に示すように、雌雄ファスナー１０、１０を開封した時点で、離間距離Ｌの領域が開封に伴う変形に対して抗しようとするので、図７の右側の開いたフラップ部２が元に戻りがちである。これに対し左側の開いたフラップ部２にはそのような復元力は基本的に作用しないので、左右の開いたフラップ２，２相互間で同様な開口形状を得難い。その結果、シート５を取出すとき、右側の開いたフラップ部２にシート５が当りがちとなり、円滑なシート５の取出しを行い難い。しかも、図７に図示のように、左右の開いたフラップ２，２はほぼ起立状態で開口するので、シート５を取出すとき、右側の開いたフラップ部２にシート５が当りがちとなり、円滑なシート５の取出しに際し斜め上にしながら取り出すことを余儀なくされ、取出し時にシートの変形を招く。シート５の変形は、ふき取り使用時に平坦化する作業を使用者に強いることになり、商品価値を損なう。
【００３６】
これに対し、本発明の形態によれば、図６に示すように、離間距離Ｌ領域が実質的に形成されていないので、左右の開いたフラップ２，２相互間で同様な開口形状を得ることができ、かつ大きな開口を得ることができ、円滑なシート５の取出しを行うことができる。さらに、ほぼ側外方に開口するものとなるから、シート５を変形させることなく、そのまま側外方に容易に取出すことができるものである。
【００３７】
なお、本発明において、図示のようにフラップ２の基端を、包装体の一方のまち部と本体面との稜部に完全に一致させる形態のほか、フラップ部２の基端における一方のまち部６と本体面との稜部離間距離Ｌとして、５ｍｍ以内、望ましくは３ｍｍ以内であれば、離間距離Ｌの領域が開封に伴う変形に対する抗力は弱いので、採用可能である。この意味で、「実質的に一致させて形成」と規定するものである。
【００３８】
他方、上記に示した実施の形態では、包装体１にガゼットを設けているが、本発明ではこれに限られるものではなく、ガゼットを設けない包装体もでもよい。
【産業上の利用可能性】
【００３９】
シートとして、ウエットティッシュー、除菌クリーナー、ウエットクリーナー等の湿潤状態のシートに限られるものではなく、各種のものに適用できる。
【図面の簡単な説明】
【００４０】
【図１】本発明に係る包装体の一実施形態を示す斜視図である。
【図２】その２−２線矢視図である。
【図３】フラップ部の反転状態図である。
【図４】雌雄ファスナーを示す部分斜視図である。
【図５】開封状態の斜視図である。
【図６】シートの取出し状態の斜視図である。
【図７】先願発明での開封状態の斜視図である。
【符号の説明】
【００４１】
１…包装体、２…フラップ部、３…センターシール部、４…トップシール部、５…シート、６…まち部、１０…雌雄ファスナー、１１…切り取り線部、１２…リム部。
【図１】
0004416584.tif 000002
【図２】
0004416584.tif 000003
【図３】
0004416584.tif 000004
【図４】
0004416584.tif 000005
【図５】
0004416584.tif 000006
【図６】
0004416584.tif 000007
【図７】
0004416584.tif 000008